(57)【要約】    【課題】  定電圧インバータを常用とし、外部交流電源を予備とする交流電源システムに好適な制御方法を提供する。    【解決手段】  外部交流電源１の交流電圧と位相同期しつつ定格交流電圧値を出力している定電圧インバータ１１から交流スイッチ回路１２を介して負荷３に給電している通常運転状態中に、負荷３への電流値が予め定めた許容電流値以上になったときには切換制御回路３０がこれを検知して、交流スイッチ回路１２による負荷３への給電を定電圧インバータ１１から外部交流電源１に切り換える。その後、この外部交流電源１からの給電状態中に、前記電流値が前記許容電流値に対して等しいか又は小さい値の復帰判定値未満になると、切換制御回路３０がこれを検知して負荷３への給電を外部交流電源１から定電圧インバータ１１に切り換わったときには、その都度、この定電圧インバータ１１の出力電圧値を外部交流電源１の電圧値にほぼ等しい値から前記増加又は減少勾配で前記定格交流電圧値まで変化させるようにしている。【選択図】        図１
2006087270.tif 000002
【特許請求の範囲】
【請求項１】
商用電源などの外部交流電源と、定電圧インバータと、外部交流電源又は定電圧インバータの何れか一方から負荷への給電を行う交流スイッチ回路とから形成され、
通常運転状態では外部交流電源の交流電圧と位相同期しつつ所定の定格交流電圧値を出力している定電圧インバータから負荷に給電する交流電源システムにおいて、
前記通常運転状態中に負荷への電流が予め定めた許容電流値以上になったときには、交流スイッチ回路による該負荷への給電を定電圧インバータから外部交流電源に切り換え、この外部交流電源からの給電状態中に、前記負荷への電流が前記許容電流値未満になったときには、交流スイッチ回路による該負荷への給電を外部交流電源から定電圧インバータに切り換えると共に該インバータの出力電圧値を前記交流電源の電圧値にほぼ等しい値から単位時間当たり予め定めた値の増加又は減少勾配で前記定格交流電圧値まで変化させる動作を行うことを特徴とする交流電源システムの制御方法。
【請求項２】
請求項１に記載の交流電源システムの制御方法において、
前記の電圧変化動作中に再び、前記負荷への電流が前記許容電流値以上になったときには、交流スイッチ回路による該負荷への給電を定電圧インバータから外部交流電源に切り換えると共に前記許容電流値より所定の低下値を減じた復帰判定値を導出し、
上記の外部交流電源からの給電状態中に、前記負荷への電流が前記復帰判定値未満になったときには、交流スイッチ回路による該負荷への給電を外部交流電源から定電圧インバータに切り換えると共に該インバータの出力電圧値を前記交流電源の電圧値にほぼ等しい値から前記増加又は減少勾配で前記定格交流電圧値まで変化させる動作を行うことを特徴とする交流電源システムの制御方法。
【請求項３】
請求項２に記載の交流電源システムの制御方法において、
以後の電圧変化動作中に再び、前記負荷への電流が前記許容電流値以上になったときには、交流スイッチ回路による該負荷への給電を定電圧インバータから外部交流電源に切り換えると共に前回の復帰判定値に対して更に前記低下値を減じた新たな復帰判定値を導出し、この外部交流電源からの給電状態中に、前記負荷への電流が前記新たな復帰判定値未満になったときには、交流スイッチ回路による該負荷への給電を外部交流電源から定電圧インバータに切り換えると共に該インバータの出力電圧値を外部交流電源の電圧値にほぼ等しい値から前記増加又は減少勾配で前記定格交流電圧値まで変化させる動作を、前記負荷への電流が前記許容電流値未満の状態で所定の時間経過するまで繰り返すことを特徴とする交流電源システムの制御方法。
【請求項４】
請求項１に記載の交流電源システムの制御方法において、
前記の電圧変化動作中に再び、前記負荷への電流が前記許容電流値以上になったときには、交流スイッチ回路による該負荷への給電を定電圧インバータから外部交流電源に切り換えると共に前記許容電流値に所定の低下係数を乗じた復帰判定値を導出し、
上記の外部交流電源からの給電状態中に、前記負荷への電流が前記復帰判定値未満になったときには、交流スイッチ回路による該負荷への給電を外部交流電源から定電圧インバータに切り換えると共に該インバータの出力電圧値を前記交流電源の電圧値にほぼ等しい値から前記増加又は減少勾配で前記定格交流電圧値まで変化させる動作を行うことを特徴とする交流電源システムの制御方法。
【請求項５】
請求項４に記載の交流電源システムの制御方法において、
以後の電圧変化動作中に再び、前記負荷への電流が前記許容電流値以上になったときには、交流スイッチ回路による該負荷への給電を定電圧インバータから外部交流電源に切り換えると共に前回の復帰判定値に対して更に前記低下係数を乗じた新たな復帰判定値を導出し、この外部交流電源からの給電状態中に、前記負荷への電流が前記新たな復帰判定値未満になったときには、交流スイッチ回路による該負荷への給電を外部交流電源から定電圧インバータに切り換えると共に該インバータの出力電圧値を外部交流電源の電圧値にほぼ等しい値から前記増加又は減少勾配で前記定格交流電圧値まで変化させる動作を、前記負荷への電流が前記許容電流値未満の状態で所定の時間経過するまで繰り返すことを特徴とする交流電源システムの制御方法。
【発明の詳細な説明】
【技術分野】
【０００１】
この発明は商用電源などの外部交流電源と、定電圧インバータと、外部交流電源又は定電圧インバータの何れか一方から負荷への給電を行う交流スイッチ回路とから形成され、通常運転状態では外部交流電源の交流電圧と位相同期しつつ所定の定格交流電圧値を出力している定電圧インバータから負荷に給電する交流電源システムの制御方法に関する。
【背景技術】
【０００２】
図７はこの種の交流電源システムの従来例を示す回路構成図であり、この図において、１は商用電源などの外部交流電源、２は図示しない整流回路，蓄電池，逆変換回路などからなる定電圧インバータ１１と定電圧インバータ１１が出力する定格交流電圧値を設定する電圧設定器１１ａと図示の如くサイリスタによる交流ＳＷなどからなる交流スイッチ回路１２と交流スイッチ回路１２から負荷３への電流を検出する変流器（ＣＴ）などの電流検出器１３と外部交流電源１又は定電圧インバータ２の何れか一方から負荷３への給電を行う交流スイッチ回路１２を電流検出器１３の検出値を監視しつつ制御する切換制御回路１４とからなる交流電源システムである。
【０００３】
この交流電源システム２では、外部交流電源１の交流電圧と位相同期しつつ電圧設定器１１ａが設定する定格交流電圧値を出力している定電圧インバータ１１から交流スイッチ回路１２を介して負荷３に給電している通常運転状態中に、負荷３への電流、すなわち、電流検出器１３の検出値が予め定めた許容電流値（定電圧インバータ１１の定格出力電流値の１２０％程度）以上になったときには切換制御回路１４がこれを検知して、交流スイッチ回路１２による負荷３への給電を定電圧インバータ１１から外部交流電源１に切り換える。その後、この外部交流電源１からの給電状態中に、前記検出値が前記許容電流値未満になったときには切換制御回路１４がこれを検知して、交流スイッチ回路１２による負荷３への給電を外部交流電源１から定電圧インバータ１１に戻すようにしている。
【特許文献１】特開２００１−１６８０３号公報  （第２頁，第１図）
【発明の開示】
【発明が解決しようとする課題】
【０００４】
上述の図７に示した従来の交流電源システム２の制御方法において、例えば負荷３が線形負荷特性を有し、且つ、外部交流電源１の交流電圧値が定電圧インバータ１２の前記定格交流電圧値より低い状態での前記通常運転状態中に、負荷３への電流、すなわち、電流検出器１３の検出値が予め定めた許容電流値以上になったときには切換制御回路１４がこれを検知して、交流スイッチ回路１２による負荷３への給電を定電圧インバータ１１から外部交流電源１に切り換える。しかしながら、外部交流電源１の交流電圧値が定電圧インバータ１２の前記定格交流電圧値より低い状態での該交流電源から負荷３への電流は、負荷３が線形負荷特性であることから、前記許容電流値未満の状態になる恐れがあり、この状態になったときには切換制御回路１４がこれを検知して、交流スイッチ回路１２による負荷３への給電を外部交流電源１から定電圧インバータ１１に戻す動作が行われる。しかしながら、上述の電圧関係での定電圧インバータ１１では、再度、負荷３への電流が前記許容電流値以上となり、その結果、定電圧インバータ１１から負荷３への給電と外部交流電源１からの負荷３への給電とを交互に繰り返す状態が発生し、この交流電源システム２の出力電圧の安定性が損なわれる恐れがあった。
【０００５】
また、例えば負荷３が定電力負荷特性を有し、且つ、外部交流電源１の交流電圧値が定電圧インバータ１２の前記定格交流電圧値より高い状態での前記通常運転状態中に、負荷３への電流、すなわち、電流検出器１３の検出値が予め定めた許容電流値以上になったときには切換制御回路１４がこれを検知して、交流スイッチ回路１２による負荷３への給電を定電圧インバータ１１から外部交流電源１に切り換える。しかしながら、外部交流電源１の交流電圧値が定電圧インバータ１２の前記定格交流電圧値より高い状態での該交流電源から負荷３への電流は、この負荷３が定電力負荷特性であることから、前記許容電流値未満の状態になる恐れがあり、この状態になっときには切換制御回路１４がこれを検知して、交流スイッチ回路１２による負荷３への給電を外部交流電源１から定電圧インバータ１１に戻す動作が行われる。しかしながら、上述の電圧関係での定電圧インバータ１１では、再度、負荷３への電流が前記許容電流値以上となり、その結果、この場合にも、定電圧インバータ１１から負荷３への給電と外部交流電源１からの負荷３への給電とを交互に繰り返す状態が発生し、この交流電源システム２の出力電圧の安定性が損なわれる恐れがあった。
【０００６】
この発明の目的は、上記問題点を解決する交流電源システムの制御方法を提供することにある。
【課題を解決するための手段】
【０００７】
この第１の発明は商用電源などの外部交流電源と、定電圧インバータと、外部交流電源又は定電圧インバータの何れか一方から負荷への給電を行う交流スイッチ回路とから形成され、通常運転状態では外部交流電源の交流電圧と位相同期しつつ所定の定格交流電圧値を出力している定電圧インバータから負荷に給電する交流電源システムにおいて、
前記通常運転状態中に負荷への電流が予め定めた許容電流値以上になったときには、交流スイッチ回路による該負荷への給電を定電圧インバータから外部交流電源に切り換え、この外部交流電源からの給電状態中に、前記負荷への電流が前記許容電流値未満になったときには、交流スイッチ回路による該負荷への給電を外部交流電源から定電圧インバータに切り換えると共に該インバータの出力電圧値を前記交流電源の電圧値にほぼ等しい値から単位時間当たり予め定めた値の増加又は減少勾配で前記定格交流電圧値まで変化させる動作を行うことを特徴とする制御方法を行う。
【０００８】
第２の発明は前記第１の発明の交流電源システムの制御方法において、
前記の電圧変化動作中に再び、前記負荷への電流が前記許容電流値以上になったときには、交流スイッチ回路による該負荷への給電を定電圧インバータから外部交流電源に切り換えると共に前記許容電流値より所定の低下値を減じた復帰判定値を導出し、上記の外部交流電源からの給電状態中に、前記負荷への電流が前記復帰判定値未満になったときには、交流スイッチ回路による該負荷への給電を外部交流電源から定電圧インバータに切り換えると共に該インバータの出力電圧値を前記交流電源の電圧値にほぼ等しい値から前記増加又は減少勾配で前記定格交流電圧値まで変化させる動作を行うことを特徴とする。
【０００９】
第３の発明は前記第２の発明の交流電源システムの制御方法において、
以後の電圧変化動作中に再び、前記負荷への電流が前記許容電流値以上になったときには、交流スイッチ回路による該負荷への給電を定電圧インバータから外部交流電源に切り換えると共に前回の復帰判定値に対して更に前記低下値を減じた新たな復帰判定値を導出し、この外部交流電源からの給電状態中に、前記負荷への電流が前記新たな復帰判定値未満になったときには、交流スイッチ回路による該負荷への給電を外部交流電源から定電圧インバータに切り換えると共に該インバータの出力電圧値を外部交流電源の電圧値にほぼ等しい値から前記増加又は減少勾配で前記定格交流電圧値まで変化させる動作を、前記負荷への電流が前記許容電流値未満の状態で所定の時間経過するまで繰り返すことを特徴とする。
【００１０】
第４の発明は前記第１の発明の交流電源システムの制御方法において、
前記の電圧変化動作中に再び、前記負荷への電流が前記許容電流値以上になったときには、交流スイッチ回路による該負荷への給電を定電圧インバータから外部交流電源に切り換えると共に前記許容電流値に所定の低下係数を乗じた復帰判定値を導出し、上記の外部交流電源からの給電状態中に、前記負荷への電流が前記復帰判定値未満になったときには、交流スイッチ回路による該負荷への給電を外部交流電源から定電圧インバータに切り換えると共に該インバータの出力電圧値を前記交流電源の電圧値にほぼ等しい値から前記増加又は減少勾配で前記定格交流電圧値まで変化させる動作を行うことを特徴とする。
【００１１】
第５の発明は前記第４の発明の交流電源システムの制御方法において、
以後の電圧変化動作中に再び、前記負荷への電流が前記許容電流値以上になったときには、交流スイッチ回路による該負荷への給電を定電圧インバータから外部交流電源に切り換えると共に前回の復帰判定値に対して更に前記低下係数を乗じた新たな復帰判定値を導出し、この外部交流電源からの給電状態中に、前記負荷への電流が前記新たな復帰判定値未満になったときには、交流スイッチ回路による該負荷への給電を外部交流電源から定電圧インバータに切り換えると共に該インバータの出力電圧値を外部交流電源の電圧値にほぼ等しい値から前記増加又は減少勾配で前記定格交流電圧値まで変化させる動作を、前記負荷への電流が前記許容電流値未満の状態で所定の時間経過するまで繰り返すことを特徴とする。
【発明の効果】
【００１２】
この発明の交流電源システムの制御方法によれば、外部交流電源の交流電圧と位相同期しつつこの外部交流電源の交流電圧値と定電圧インバータの定格交流電圧値とが互いに異なる状態での前記通常運転状態中に、負荷への電流が許容電流値以上の状態になって該負荷への給電が外部交流電源に切り換わった場合にも、前記負荷の特性に関係無く、先述のような定電圧インバータから前記負荷への給電と外部交流電源からの該負荷の給電とが交互に繰り返される状態を回避することができ、その結果、この交流電源システムの出力電圧の安定性が向上する。
【発明を実施するための最良の形態】
【００１３】
図１はこの発明の交流電源システムの実施の形態を示す回路構成図であり、この図において、図７に示した従来例構成と同一機能を有するものには同一符号を付している。
【００１４】
すなわち、図１に示した交流電源システム４が交流電源システム２と異なる点は電圧設定器１１ａと定電圧インバータ１１との間に指令値演算回路２０が挿設され、さらに、切換制御回路１４に代えて切換制御回路３０が備えられていることである。また、交流電源システム５では電圧設定器１１ａと定電圧インバータ１１との間に指令値演算回路２０が挿設され、さらに、切換制御回路１４に代えて切換制御回路４０が備えられている。
【００１５】
図２は図１に示した指令値演算回路２０の詳細回路構成図であり、この図において、２１は外部交流電源１の交流電圧を整流および平滑して該交流電圧値に比例した直流電圧値を得る整流回路、２２は電圧設定器１１ａが指令する定電圧インバータ１１が出力する定格交流電圧値を設定する電圧設定器１１ａの設定値と整流回路２１の出力する前記直流電圧値とを、後述の切換制御回路３０または切換制御回路４０からの指令により、切り換えて出力する切換スイッチ、２３は切換スイッチが２２切り換え動作を行った直後から単位時間当たり予め定めた値の増加勾配（１０ボルト／１秒程度）又は減少勾配（−１０ボルト／１秒程度）で、最終的には切換スイッチ２２の接点が閉路している側の電圧に対応する電圧値を出力する加減演算器である。なお、この加減演算器２３では、前増加又は減少勾配で加減演算器２３の出力値が変化中には、後述の切換制御回路３０または切換制御回路４０へその状態信号を送出するようにしている。
【００１６】
図３は図１に示した切換制御回路３０の詳細回路構成図であり、この図において、３１は電流検出器１３の検出値を全波整流したＩO を出力する整流回路、３２は許容電流値（ＩM ），（ＩM ＝定電圧インバータ１１の定格出力電流値の１２０％程度）を設定する電流設定器、３３は前記ＩM とＩO との間にＩM ≦ＩO の関係が成立したときに、この状態をフリップフロップ回路３４に出力する比較回路、このフリップフロップ回路３４は比較回路３３が出力したときにはゲート駆動回路３５を動作，ゲート駆動回路３６を不動作状態にする。
【００１７】
また、復帰値演算回路３７では後述の復帰判定値ＩR を導出し、比較回路３８では前記ＩR とＩO との間にＩR ＞ＩO の関係が成立したときに、この状態をフリップフロップ回路３４に出力し、フリップフロップ回路３４は比較回路３８が出力したときにはゲート駆動回路３５を不動作，ゲート駆動回路３６を動作状態にする。
【００１８】
図１に示した交流電源システム４の動作を、図４に示した復帰値演算回路３７の動作を説明するフローチャートを参照しつつ、以下に説明する。
【００１９】
先ず、外部交流電源１の交流電圧と位相同期しつつ電圧設定器１１ａが設定する定格交流電圧値を出力している定電圧インバータ１１から交流スイッチ回路１２を介して負荷３に給電している通常運転状態中には、復帰値演算回路３７からは前記許容電流値ＩM と等しい値の復帰判定値ＩR が出力され（ステップＳ１１）、復帰値演算回路３７に内蔵するタイマのカウント値（Ｔ）が「０」にセットされ（ステップＳ１２）、定電圧インバータ１１から交流スイッチ回路１２を介して負荷３に給電している状態（ステップＳ１３，分岐Ｙ）を継続している（ステップＳ１４，分岐Ｎ）。
【００２０】
上記通常運転状態中に、何らかの要因で負荷３への電流、すなわち、切換制御回路３０の整流回路３１の出力値ＩO が許容電流値ＩM 以上になったときには比較回路３３がこれを検知して、交流スイッチ回路１２による負荷３への給電を定電圧インバータ１１から外部交流電源１に切り換える（ステップＳ１３，分岐Ｎ）。その後、この外部交流電源１からの給電状態中に、前記出力値ＩO がこのときの復帰判定値ＩR （＝ＩM ）未満になったときには比較回路３８がこれを検知して、交流スイッチ回路１２による負荷３への給電を外部交流電源１から定電圧インバータ１１に戻す動作が行われる（ステップＳ１３，分岐Ｙ）。このとき、切換制御回路３０からの指令により、指令値演算回路２０の切換スイッチ２２の接点が電圧設定器１１ａ側に閉路し、その結果、加減演算器２３が動作を開始するのでその出力値が変化し（ステップＳ１４，分岐Ｙ）、復帰値演算回路３７に内蔵するタイマが起動してカウントを開始し（ステップＳ１５）、前記タイマのカウント値（Ｔ）が予め定めた値ＴR （数秒程度）を越えたか否かをチェックする（ステップＳ１６）。
【００２１】
加減演算器２３が動作を開始すると、定電圧インバータ１１の出力電圧値を外部交流電源１の電圧値にほぼ等しい値から前記増加又は減少勾配で前記定格交流電圧値まで変化させる動作を行いつつ（ステップＳ１６，分岐Ｎ）、負荷３への電流を監視し（ステップＳ１７）、この負荷３への電流が前記許容電流値ＩM 以上になったときには、交流スイッチ回路１２による負荷３への給電を定電圧インバータ１１から外部交流電源１に切り換える（ステップＳ１７，分岐Ｎ）と共に、所定の低下値ΔＩ（ΔＩは前記許容電流値ＩM の１０パーセント程度の値）を減じた復帰判定値ＩR を導出し（ステップＳ１８）、ステップＳ１２に戻る。
【００２２】
上記の外部交流電源１からの給電状態中に（ステップＳ１３，分岐Ｎ）、負荷３への電流がステップＳ１８で導出された復帰判定値ＩR 未満になったときには、交流スイッチ回路１２による負荷３への給電を外部交流電源１から定電圧インバータ１１に切り換えると共に（ステップＳ１３，分岐Ｙ）、定電圧インバータ１１の出力電圧値を外部交流電源１の電圧値にほぼ等しい値から前記増加又は減少勾配で前記定格交流電圧値まで変化させる動作を行いつつ（ステップＳ１６，分岐Ｎ）、負荷３への電流を監視し（ステップＳ１７）、この負荷３への電流が前記許容電流値ＩM 以上になったときには、交流スイッチ回路１２による負荷３への給電を定電圧インバータ１１から外部交流電源１に切り換える（ステップＳ１７，分岐Ｎ）と共に、前回の復帰判定値ＩR から前記低下値ΔＩを減算した新たな復帰判定値ＩR を導出して（ステップＳ１８）、ステップＳ１２に戻ることで、定電圧インバータ１１から負荷３への給電と外部交流電源１からの負荷３の給電とが、多数回に渡って、交互に繰り返される状態を回避することができる。
【００２３】
また、上記の外部交流電源１からの給電状態中に（ステップＳ１３，分岐Ｎ）、負荷３への電流がステップＳ１８で導出された復帰判定値ＩR 未満になったときには、交流スイッチ回路１２による負荷３への給電を外部交流電源１から定電圧インバータ１１に切り換えると共に（ステップＳ１３，分岐Ｙ）、定電圧インバータ１１の出力電圧値を外部交流電源１の電圧値にほぼ等しい値から前記増加又は減少勾配で前記定格交流電圧値まで変化させる動作を行いつつ（ステップＳ１６，分岐Ｎ）、負荷３への電流を監視し（ステップＳ１７）、この負荷３への電流が前記許容電流値ＩM 未満の状態を継続しているときには（ステップＳ１６，分岐Ｙ）、ステップＳ１１へ戻り、この交流電源システム４は通常運転状態に入る。
【００２４】
従って、この交流電源システム４によれば、負荷３への給電を外部交流電源１から定電圧インバータ１１に切り換わったときには、その都度、この定電圧インバータ１１の出力電圧値を外部交流電源１の電圧値にほぼ等しい値から前記増加又は減少勾配で前記定格交流電圧値まで変化させることによっても、定電圧インバータ１１から負荷３への給電と外部交流電源１からの負荷３の給電とが、複数回に渡って、交互に繰り返される状態を回避することができる。
【００２５】
図５は図１に示した交流電源システム５の切換制御回路４０の詳細回路構成図であり、この図において、図３に示した切換制御回路３０と異なる点は、復帰値演算回路３７に代えて復帰値演算回路４１を備えていることである。
【００２６】
図１に示した交流電源システム５の動作を、図６に示した復帰値演算回路４１の動作を説明するフローチャートを参照しつつ、以下に説明する。
【００２７】
先ず、外部交流電源１の交流電圧と位相同期しつつ電圧設定器１１ａが設定する定格交流電圧値を出力している定電圧インバータ１１から交流スイッチ回路１２を介して負荷３に給電している通常運転状態中には、復帰値演算回路４１からは前記許容電流値ＩM と等しい値の復帰判定値ＩR が出力され（ステップＳ２１）、復帰値演算回路４１に内蔵するタイマのカウント値（Ｔ）が「０」にセットされ（ステップＳ２２）、定電圧インバータ１１から交流スイッチ回路１２を介して負荷３に給電している状態（ステップＳ２３，分岐Ｙ）を継続している（ステップＳ２４，分岐Ｎ）。
【００２８】
上記通常運転状態中に、何らかの要因で負荷３への電流、すなわち、切換制御回路４０の整流回路３１の出力値ＩO が許容電流値ＩM 以上になったときには比較回路３３がこれを検知して、交流スイッチ回路１２による負荷３への給電を定電圧インバータ１１から外部交流電源１に切り換える（ステップＳ２３，分岐Ｎ）。その後、この外部交流電源１からの給電状態中に、前記出力値ＩO がこのときの復帰判定値ＩR （＝ＩM ）未満になったときには比較回路３８がこれを検知して、交流スイッチ回路１２による負荷３への給電を外部交流電源１から定電圧インバータ１１に戻す動作が行われる（ステップＳ２３，分岐Ｙ）。このとき、切換制御回路４０からの指令により、指令値演算回路２０の切換スイッチ２２の接点が電圧設定器１１ａ側に閉路し、その結果、加減演算器２３が動作を開始するのでその出力値が変化し（ステップＳ２４，分岐Ｙ）、復帰値演算回路４１に内蔵するタイマが起動してカウントを開始し（ステップＳ２５）、前記タイマのカウント値（Ｔ）が予め定めた値ＴR （数秒程度）を越えたか否かをチェックする（ステップＳ２６）。
【００２９】
加減演算器２３が動作を開始すると、定電圧インバータ１１の出力電圧値を外部交流電源１の電圧値にほぼ等しい値から前記増加又は減少勾配で前記定格交流電圧値まで変化させる動作を行いつつ（ステップＳ２６，分岐Ｎ）、負荷３への電流を監視し（ステップＳ２７）、この負荷３への電流が前記許容電流値ＩM 以上になったときには、交流スイッチ回路１２による負荷３への給電を定電圧インバータ１１から外部交流電源１に切り換える（ステップＳ２７，分岐Ｎ）と共に、所定の低下係数Ｋ（Ｋは９０パーセント程度）を乗じた復帰判定値ＩR を導出し（ステップＳ２８）、ステップＳ２２に戻る。
【００３０】
上記の外部交流電源１からの給電状態中に（ステップＳ２３，分岐Ｎ）、負荷３への電流がステップＳ２８で導出された復帰判定値ＩR 未満になったときには、交流スイッチ回路１２による負荷３への給電を外部交流電源１から定電圧インバータ１１に切り換えると共に（ステップＳ２３，分岐Ｙ）、定電圧インバータ１１の出力電圧値を外部交流電源１の電圧値にほぼ等しい値から前記増加又は減少勾配で前記定格交流電圧値まで変化させる動作を行いつつ（ステップＳ２６，分岐Ｎ）、負荷３への電流を監視し（ステップＳ２７）、この負荷３への電流が前記許容電流値ＩM 以上になったときには、交流スイッチ回路１２による負荷３への給電を定電圧インバータ１１から外部交流電源１に切り換える（ステップＳ２７，分岐Ｎ）と共に、前回の復帰判定値ＩR から更に前記低下係数Ｋを乗じた新たな復帰判定値ＩR を導出して（ステップＳ２８）、ステップＳ２２に戻ることで、定電圧インバータ１１から負荷３への給電と外部交流電源１からの負荷３の給電とが、複数回に渡って、交互に繰り返される状態を回避することができる。
【００３１】
また、上記の外部交流電源１からの給電状態中に（ステップＳ２３，分岐Ｎ）、負荷３への電流がステップＳ２８で導出された復帰判定値ＩR 未満になったときには、交流スイッチ回路１２による負荷３への給電を外部交流電源１から定電圧インバータ１１に切り換えると共に（ステップＳ２３，分岐Ｙ）、定電圧インバータ１１の出力電圧値を外部交流電源１の電圧値にほぼ等しい値から前記増加又は減少勾配で前記定格交流電圧値まで変化させる動作を行いつつ（ステップＳ２６，分岐Ｎ）、負荷３への電流を監視し（ステップＳ２７）、この負荷３への電流が前記許容電流値ＩM 未満の状態を継続しているときには（ステップＳ２６，分岐Ｙ）、ステップＳ２１へ戻り、この交流電源システム５は通常運転状態に入る。
【００３２】
従って、この交流電源システム５によれば、負荷３への給電を外部交流電源１から定電圧インバータ１１に切り換わったときには、その都度、この定電圧インバータ１１の出力電圧値を外部交流電源１の電圧値にほぼ等しい値から前記増加又は減少勾配で前記定格交流電圧値まで変化させることによっても、定電圧インバータ１１から負荷３への給電と外部交流電源１からの負荷３の給電とが、複数回に渡って、交互に繰り返される状態を回避することができる。
【図面の簡単な説明】
【００３３】
【図１】この発明の実施の形態を示す交流電源システムの回路構成図
【図２】図１の部分詳細回路構成図
【図３】図１の部分詳細回路構成図
【図４】図３の動作を説明するフローチャート
【図５】図１の部分詳細回路構成図
【図６】図５の動作を説明するフローチャート
【図７】従来例を示す交流電源システムの回路構成図
【符号の説明】
【００３４】
１…外部交流電源、２…交流電源システム、３…負荷、４，５…交流電源システム、１１…定電圧インバータ、１１ａ…電圧設定器、１２…交流スイッチ回路、１３…電流検出器、１４…切換制御回路、２０…指令値演算回路、３０，４０…切換制御回路。
【図１】
2006087270.tif 000003
【図２】
2006087270.tif 000004
【図３】
2006087270.tif 000005
【図４】
2006087270.tif 000006
【図５】
2006087270.tif 000007
【図６】
2006087270.tif 000008
【図７】
2006087270.tif 000009